【手続補正書】
【提出日】平成18年10月25日(2006.10.25)
【手続補正１】
【補正対象書類名】明細書
【補正対象項目名】発明の名称
【補正方法】変更
【補正の内容】
【発明の名称】符号化装置、復号装置および無線通信装置
【手続補正２】
【補正対象書類名】明細書
【補正対象項目名】特許請求の範囲
【補正方法】変更
【補正の内容】
【特許請求の範囲】
【請求項１】  入力データを誤り訂正符号化する第１の符号化手段と、
前記入力データを所定の順序に並べ替える並べ替え手段と、
前記並べ替え手段の出力を誤り訂正符号化する第２の符号化手段とを有し、
符号化データを前記第１の符号化手段を用いて生成する第１の誤り訂正符号化処理と、符号化データを前記第１の符号化手段、前記並べ替え手段および前記第２の符号化手段を用いて生成する第２の誤り訂正符号化処理とを並列に行うことを特徴とする符号化装置。
【請求項２】  前記第１の誤り訂正符号化処理は、畳み込み符号化を行う誤り訂正符号化処理であることを特徴とする請求項１に記載の符号化装置。
【請求項３】  前記第２の誤り訂正符号化処理は、ターボ符号化を行う誤り訂正符号化処理であることを特徴とする請求項１に記載の符号化装置。
【請求項４】  前記第１の符号化手段は、前記第１の誤り訂正符号化処理を行う場合は、前記入力データを非再帰的に畳み込み符号化し、前記第２の誤り訂正符号化処理を行う場合は、前記入力データを再帰的に畳み込み符号化することを特徴とする請求項１から３のいずれかに記載の符号化装置。
【請求項５】  前記第１の符号化手段は、前記第１の誤り訂正符号化処理における拘束長を、前記第２の誤り訂正符号化処理における拘束長よりも長くすることを特徴とする請求項１から４のいずれかに記載の符号化装置。
【請求項６】  前記誤り訂正符号化装置は、前記第１および第２の誤り訂正符号化処理のいずれかを、前記入力データの種類に応じて選択することを特徴とする請求項１から５のいずれかに記載の符号化装置。
【請求項７】  請求項１から６のいずれかに記載された符号化装置と、
前記符号化装置から出力されたデータを無線により送信する無線送信手段とを有することを特徴とする無線通信装置。
【請求項８】  入力データを誤り訂正復号する第１の復号手段と、
前記第１の復号手段の出力を所定の順序に並べ替える第１の並べ替え手段と、
前記第１の並べ替え手段の出力を誤り訂正復号する第２の復号手段と、
前記第２の復号手段の出力を前記第１の並べ替え手段に対応する順序に並べ替える第２の並べ替え手段とを有し、
前記入力データを前記第１の復号手段を用いて復号する第１の誤り訂正復号処理と、前記入力データを前記第１の復号手段、前記第１の並べ替え手段、前記第２の復号手段および前記第２の並べ替え手段を用いて復号する第２の誤り訂正復号処理とを並列に行うことを特徴とする復号装置。
【請求項９】  前記誤り訂正復号装置は、前記第１の誤り訂正復号処理を行う場合は、前記第１の復号手段の出力を復号結果とし、前記第２の誤り訂正復号処理を行う場合は、前記第２の並び替え手段の出力を復号結果とすることを特徴とする請求項８に記載の復号装置。
【請求項１０】  前記第１の誤り訂正復号処理は、最尤復号を行う誤り訂正復号処理であることを特徴とする請求項８または９に記載の復号装置。
【請求項１１】  前記第２の誤り訂正復号処理は、ターボ復号を行う誤り訂正復号処理であることを特徴とする請求項８または９に記載の復号装置。
【請求項１２】  前記第１の誤り訂正復号処理により処理される誤り訂正符号の拘束長は、前記第２の誤り訂正復号処理により処理される誤り訂正符号の拘束長と異なることを特徴とする請求項８から１１のいずれかに記載の復号装置。
【請求項１３】  前記誤り訂正復号装置は、前記入力データを前記第１および第２の誤り訂正復号処理を用いて復号することを特徴とする請求項８から１２のいずれかに記載の復号装置。
【請求項１４】  前記誤り訂正復号装置は、前記第１および第２の誤り訂正復号処理のいずれかを、前記入力データのデータ長に応じて選択することを特徴とする請求項８から１３のいずれかに記載の復号装置。
【請求項１５】  前記第１の復号手段は、ステートメトリックを表す情報を正規化することを特徴とする請求項８から１４のいずれかに記載の復号装置。
【請求項１６】  データを無線により受信する受信手段と、
請求項８から１５のいずれかに記載された復号装置とを有し、
前記受信手段が受信したデータを前記復号装置を用いて復号することを特徴とする無線通信装置。
【手続補正３】
【補正対象書類名】明細書
【補正対象項目名】０００１
【補正方法】変更
【補正の内容】
【０００１】
【発明の属する技術分野】
本発明は、ディジタル情報の誤りを訂正するための技術に関するものである。
【手続補正４】
【補正対象書類名】明細書
【補正対象項目名】０００６
【補正方法】変更
【補正の内容】
【０００６】
以上の背景から本発明は、複数の誤り訂正符号化アルゴリズムを簡単、かつ、低コストな回路構成で実現する符号化装置および無線通信装置を提供することを目的とする。また、複数の誤り訂正復号アルゴリズムを簡単、かつ、低コストな回路構成で実現する復号装置および無線通信装置を提供することを目的とする。
【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】変更
【補正の内容】
【０００８】
【課題を解決するための手段】
本発明に係る符号化装置は、例えば、入力データを誤り訂正符号化する第１の符号化手段と、前記入力データを所定の順序に並べ替える並べ替え手段と、前記並べ替え手段の出力を誤り訂正符号化する第２の符号化手段とを有し、符号化データを前記第１の符号化手段を用いて生成する第１の誤り訂正符号化処理と、符号化データを前記第１の符号化手段、前記並べ替え手段および前記第２の符号化手段を用いて生成する第２の誤り訂正符号化処理とを並列に行うことを特徴とする。
本発明に係る無線通信装置は、例えば、上記符号化装置と、上記符号化装置から出力されたデータを無線により送信する無線送信手段とを有することを特徴とする。
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】変更
【補正の内容】
【００１１】
本発明に係る復号装置は、例えば、入力データを誤り訂正復号する第１の復号手段と、前記第１の復号手段の出力を所定の順序に並べ替える第１の並べ替え手段と、前記第１の並べ替え手段の出力を誤り訂正復号する第２の復号手段と、前記第２の復号手段の出力を前記第１の並べ替え手段に対応する順序に並べ替える第２の並べ替え手段とを有し、前記入力データを前記第１の復号手段を用いて復号する第１の誤り訂正復号処理と、前記入力データを前記第１の復号手段、前記第１の並べ替え手段、前記第２の復号手段および前記第２の並べ替え手段を用いて復号する第２の誤り訂正復号処理とを並列に行うことを特徴とする。
本発明に係る無線通信装置は、例えば、データを無線により受信する受信手段と、上記復号装置とを有し、前記受信手段が受信したデータを上記復号装置を用いて復号することを特徴とする。
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】